(57)【要約】【課題】操作ができる者を登録された者に特定することによって、高いセキュリティ性を確保することができる遠心機を提供すること。【解決手段】運転条件を入力するキー入力部（入力手段）１２と、表示部（表示手段）１１と、ＥＥＰＲＯＭ（記憶部）３を有するＣＰＵ（制御手段）２と、該ＣＰＵ２に接続された非接触式カードリーダ７を備えた遠心機において、使用が許可された使用者の使用者識別コードをＥＥＰＲＯＭ３に予め登録しておき、使用者識別コードが書き込まれた非接触式ＩＣカードを携帯している者が、非接触式カードリーダ７の通信可能範囲内に入ったとき、その者が携帯している非接触式ＩＣカードに書き込まれた使用者識別コードを非接触式カードリーダ７が読み取り、その読み取られた使用者識別コードと予め登録されている使用者識別コードとを照合し、両者が一致した場合にのみ、その者の操作を許可する。【選択図】図１
2007130609.tif 000002
【特許請求の範囲】
【請求項１】
駆動手段と、該駆動手段によって回転駆動される回転体と、該回転体に収容された試料を遠心分離するため運転条件を入力する入力手段と、運転条件や運転状態を表示する表示手段と、読み書き可能な記憶部を有する制御手段と、該制御手段に接続された非接触式カードリーダを備えた遠心機において、
使用が許可された使用者の使用者識別コードを前記制御手段の記憶部に予め登録しておき、使用者識別コードが書き込まれた非接触式ＩＣカードを携帯している者が、前記非接触式カードリーダの通信可能範囲内に入ったとき、その者が携帯している前記非接触式ＩＣカードに書き込まれた使用者識別コードを前記非接触式カードリーダが読み取り、その読み取られた使用者識別コードと前記制御手段の記憶部に登録されている使用者識別コードとを照合し、両者が一致した場合にのみ、その者の操作を許可することを特徴とする遠心機。
【請求項２】
前記非接触式カードリーダによって読み取られた使用者識別コードと前記制御手段の記憶部に登録されている使用者識別コードとを照合した結果、両者が一致した場合には、前記表示手段に運転条件及び運転状態を表示することを特徴とする請求項１記載の遠心機。
【請求項３】
前記回転体が収納された回転室を開閉するドアをロックするロック手段を設け、前記非接触式カードリーダによって読み取られた使用者識別コードと前記制御手段の記憶部に登録されている使用者識別コードとを照合した結果、両者が一致した場合であって、且つ、運転が停止中で前記ロック手段によって前記ドアがロックされている場合には、ロック手段によるドアのロックを解除することを特徴とする請求項１又は２記載の遠心機。
【請求項４】
前記非接触式ＩＣカードを携帯している使用者が、前記非接触式カードリーダの通信可能範囲外へと離れたときには、それ以降の使用者以外の第三者の操作を禁止するとともに、前記表示手段に運転条件及び運転状態を表示しないことを特徴とする請求項１〜３の何れかに記載の遠心機。
【請求項５】
前記非接触式カードリーダを、前記制御手段に接続されたパーソナルコンピュータに接続したことを特徴とする請求項１〜４の何れかに記載の遠心機。
【発明の詳細な説明】
【技術分野】
【０００１】
本発明は、 試料が挿入された回転体を高速で回転させることによって試料を遠心分離するための遠心機に関するものである。
【０００２】
更に詳細には、非接触式ＩＣカードを携帯した者が、非接触式カードリーダの通信可能範囲内に入ったとき、遠心機の使用者を特定し、その使用者に遠心機の操作を許可することによって、遠心機の使用が許可されていない第三者には遠心機を操作させない、遠心分離の運転条件や運転状態を見せない、又、遠心機のドアをロックして試料に触れさせないようにすることによって、高いセキュリティ性を確保した遠心機に関するものである。
【背景技術】
【０００３】
従来の遠心機においては、使用者を識別する手段として、識別コードが記憶されたＩＤカードを使用者が携帯し、遠心機の制御部に接続されたカードリーダに使用者がＩＤカードを挿入することによってその使用者を識別する方法が採られていた（特許文献１参照）。
【０００４】
又、別の手段として、遠心機を使用する者が遠心機内部の記憶部に使用者識別コードと該使用者識別コードに対応した使用者名称を登録しておき、遠心機を使用する際に遠心機の操作パネル部から使用者が使用者識別コードを入力すると、入力された使用者識別コードを登録済みの使用者識別コードと照合して使用者を識別する方法が採用されていた（特許文献２参照）。
【０００５】
更に、遠心機によっては、ロックアウト機能として、遠心機を使用する者が予め遠心機内部の記憶部に使用者識別コードとパスワード及び使用者名称を登録しておき、遠心機を使用する際に遠心機の操作パネル部から使用者が使用者識別コードとパスワードを入力すると、使用者識別コードとパスワードを照合して使用者を識別する機能を設けたものもある。
【特許文献１】特開平９−１１７６９５号公報
【特許文献２】特開２００１−１０４８３５号公報
【発明の開示】
【発明が解決しようとする課題】
【０００６】
しかしながら、上記従来の遠心機における使用者の識別手段では、使用者を一旦識別すると遠心機が使用可能となり、分離する試料をセットし、遠心分離条件を設定して運転を開始した後、使用者が遠心機から離れた場合、使用者以外の第三者でも遠心分離条件の設定を変更したり、運転条件や運転状態を見たりすることが可能であるため、セキュリティ（機密保持）上問題となる場合があった。
【０００７】
又、登録された使用者以外の第三者が遠心分離後の試料を取り出すことも可能であり、遠心分離条件の設定や遠心分離すべき試料が企業秘密等に関わるものである場合にもセキュリティ（機密保持）上の弱点を露呈する結果となっていた。
【０００８】
本発明は上記問題に鑑みてなされたもので、その目的とする処は、操作ができる者を登録された者に特定することによって、高いセキュリティ性を確保することができる遠心機を提供することにある。
【課題を解決するための手段】
【０００９】
上記目的を達成するため、請求項１記載の発明は、駆動手段と、該駆動手段によって回転駆動される回転体と、該回転体に収容された試料を遠心分離するため運転条件を入力する入力手段と、運転条件や運転状態を表示する表示手段と、読み書き可能な記憶部を有する制御手段と、該制御手段に接続された非接触式カードリーダを備えた遠心機において、使用が許可された使用者の使用者識別コードを前記制御手段の記憶部に予め登録しておき、使用者識別コードが書き込まれた非接触式ＩＣカードを携帯している者が、前記非接触式カードリーダの通信可能範囲内に入ったとき、その者が携帯している前記非接触式ＩＣカードに書き込まれた使用者識別コードを前記非接触式カードリーダが読み取り、その読み取られた使用者識別コードと前記制御手段の記憶部に登録されている使用者識別コードとを照合し、両者が一致した場合にのみ、その者の操作を許可することを特徴とする。
【００１０】
請求項２記載の発明は、請求項１記載の発明において、前記非接触式カードリーダによって読み取られた使用者識別コードと前記制御手段の記憶部に登録されている使用者識別コードとを照合した結果、両者が一致した場合には、前記表示手段に運転条件及び運転状態を表示することを特徴とする。
【００１１】
請求項３記載の発明は、請求項１又は２記載の発明において、前記回転体が収納された回転室を開閉するドアをロックするロック手段を設け、前記非接触式カードリーダによって読み取られた使用者識別コードと前記制御手段の記憶部に登録されている使用者識別コードとを照合した結果、両者が一致した場合であって、且つ、運転が停止中で前記ロック手段によって前記ドアがロックされている場合には、ロック手段によるドアのロックを解除することを特徴とする。
【００１２】
請求項４記載の発明は、請求項１〜３の何れかに記載の発明において、前記非接触式ＩＣカードを携帯している使用者が、前記非接触式カードリーダの通信可能範囲外へと離れたときには、それ以降の使用者以外の第三者の操作を禁止するとともに、前記表示手段に運転条件及び運転状態を表示しないことを特徴とする。
【００１３】
請求項５記載の発明は、請求項１〜４の何れかに記載の発明において、前記非接触式カードリーダを、前記制御手段に接続されたパーソナルコンピュータに接続したことを特徴とする。
【発明の効果】
【００１４】
請求項１記載の発明によれば、遠心機の操作ができる者を予め登録された者に限定し、遠心機の使用が許可されていない第三者には遠心機を操作させないようにしたため、遠心機に高いセキュリティ性が確保される。
【００１５】
請求項２記載の発明によれば、遠心機の使用が許可された者だけが表示手段に表示される運転条件及び運転状態を見ることができ、遠心機の使用が許可されていない第三者は運転条件及び運転状態を見ることができないため、機密情報の漏洩が防がれて遠心機に更に高いセキュリティ性が確保される。
【００１６】
請求項３記載の発明によれば、遠心機の使用が許可された者による試料の遠心分離が終了し、遠心機の運転が停止されると、ロック手段によるドアのロックが解除され、その使用者だけがドアを開けてチャンバから試料を取り出すことができるため、遠心分離すべき試料の種類等の機密情報の漏洩が防がれて遠心機に高いセキュリティ性が確保される。
【００１７】
請求項４記載の発明によれば、使用が許可された使用者が分離する試料をセットし、遠心分離条件を設定して運転を開始した後、その使用者が遠心機から離れた場合には、使用者以外の第三者は遠心分離条件の設定を変更したり、運転条件や運転状態を見たりすることができないため、機密情報の漏洩が防がれて遠心機に高いセキュリティ性が確保される。
【００１８】
請求項５記載の発明によれば、非接触式ＩＣカードに書き込まれた使用者識別コードを、パーソナルコンピュータに接続された非接触式カードリーダによって読み取り、この読み取った使用者識別コードを制御手段の記憶部に予め登録されている使用者識別コードと照合し、遠心機の操作が許可される者を特定することができる。
【発明を実施するための最良の形態】
【００１９】
以下に本発明の実施の形態を添付図面に基づいて説明する。
【００２０】
先ず、本発明に係る遠心機の基本構成を図１のブロック図を用いて説明する。
【００２１】
本実施の形態に係る遠心機は、回転体であるロータ８を収納するための回転室を構成するチャンバ１５を不図示の筐体内に備えており、該チャンバ１５の上面開口部はドア１４によって開閉され、このドア１４は、ロック手段であるドアソレノイド１６によって開閉がロック／アンロックされる。尚、ドアソレノイド１６は、後述のＣＰＵ２に接続されており、該ＣＰＵ２によってその駆動が制御される。
【００２２】
又、チャンバ１５の下方には駆動手段であるモータ等の駆動装置９が設けられており、該駆動装置９から垂直上方へ延びるドライブシャフト１３は、チャンバ１５の底部を貫通してチャンバ１５内に臨み、その上端部には前記ロータ８が着脱可能に装着されている。尚、駆動装置９には、モータ及びロータ８の回転数を検出するための回転検出器１０が設けられており、この回転検出器１０の検出信号は、制御手段であるＣＰＵ２に入力される。
【００２３】
そして、ＣＰＵ２には操作パネル１が接続されており、この操作パネル１には表示手段である表示部１１と入力手段であるキー入力部１２が設けられている。
【００２４】
更に、ＣＰＵ２には、読み書き可能な記憶部を構成するＥＥＰＲＯＭ３、ＲＡＭ４、ＲＯＭ５及びパーソナルコンピュータ（以下、「パソコン」と略称する）６が接続されており、又、ＲＡＭ４にはバックアップ用のバッテリ１７が接続されている。尚、ＲＯＭ５には、ＣＰＵ２を動作させるプログラムが格納されている、又、パソコン６は、ＲＳ２３２Ｃ等の通信ケーブルでＣＰＵ２に接続されており、このパソコン６には非接触式カードリーダ７が接続されている。
【００２５】
而して、以上の構成を有する遠心機の運転に際して、使用者が操作パネル１のキー入力部１２から使用者識別コード（User Name 、ID Code 、Password）を入力すると、ＣＰＵ２は、入力された使用者識別コードをＥＥＰＲＯＭ３に記憶する。
【００２６】
又、使用者がキー入力部１２から使用するロータ８の選択、各種運転条件（回転速度、運転時間、制御温度、加速コード、減速コード等）の設定値を入力すると、ＣＰＵ２は、バッテリ１７でバックアップされたＲＡＭ４に入力データを記憶し、同時に表示部１１に、使用するロータ８の形名や各種運転条件の設定値及び現在の運転状態値を表示する。
【００２７】
使用者識別コードが書き込まれている非接触式ＩＣカードを携帯している使用者が、試料がセットされたロータ８を持ち、非接触式カードリーダ７の通信可能範囲に入ったとき、非接触式ＩＣカードに書き込まれている使用者識別コードが非接触式カードリーダ７によって取り込まれ、この取り込まれた使用者識別コードとＣＰＵ２のＥＥＰＲＯＭ３に予め登録されている使用者識別コードとが照合される。そして、両者が一致すれば遠心機の操作が許可され、遠心機の運転条件や運転状態（回転速度、遠心時間、設定温度等）が操作パネル１の表示部１１に表示される。このとき、遠心機が停止中であれば、ドアソレノイド１６によるドア１４のロックが解除されてドア１４を開くことができる。
【００２８】
このように、本実施の形態に係る遠心機においては、遠心機の操作ができる者を予め登録された者に限定し、遠心機の使用が許可されていない第三者には遠心機を操作させないようにし、又、遠心機の使用が許可された者だけが表示部１１に表示される運転条件や運転状態を見ることができ、遠心機の使用が許可されていない第三者は運転条件や運転状態を見ることができないようにしたため、機密情報の漏洩が防がれて遠心機に高いセキュリティ性が確保される。
【００２９】
その後、使用者は、ドア１４を開いてロータ８をチャンバ１５内のドライブシャフト１３に装着し、操作パネル１を用いて各種運転条件（回転速度、運転時間、制御温度、加速コード、減速コード、使用ロータ等）の設定値を入力する。そして、ドア１４を閉じて操作パネル１のキー入力部１２のスタートキーにより遠心機の運転を開始する。すると、ＣＰＵ２は駆動装置９を駆動し、ドライブシャフト１３の回転がロータ８に伝達され、ロータ８は設定回転速度まで加速され、その後、ロータ８が設定回転速度で回転することによって、該ロータ８にセットされた試料が所定の条件で遠心分離される。尚、ロータ８の回転数は回転検出器１０によって検出され、その信号はＣＰＵ２に入力され、そのパルス数がカウントされてロータ８の回転数が算出され、ＣＰＵ２は、算出された回転数が設定回転数に一致するよう駆動装置９を制御する。
【００３０】
以上のように遠心機が運転された後、使用者識別コードが書き込まれている非接触式ＩＣカードを携帯している使用者が、非接触式カードリーダ７の通信可能範囲外へと離れたときには、使用者識別コードの照合ができなくなるため、それ以降の使用者以外の第三者の遠心機の操作が禁止される。又、この状態のとき、遠心機の設定条件や遠心状態（回転速度、遠心時間、設定温度等）をセキュリティ（機密保持）確保の観点から操作パネル１の表示部１１に表示しないようにする。
【００３１】
従って、本実施の形態に係る遠心機においては、使用が許可された使用者が分離する試料をセットし、運転条件（遠心分離条件）を設定して運転を開始した後、その使用者が遠心機から離れた場合には、使用者以外の第三者は運転条件（遠心分離条件）の設定を変更したり、運転条件や運転状態を見たりすることができないため、機密情報の漏洩が防がれて遠心機に高いセキュリティ性が確保される。
【００３２】
そして、設定した運転時間が経過して遠心分離機が停止した後は、ドアソレノイド１６はドア１４をロックしたままであるため、チャンバ１５から試料を取り出すことができないが、非接触式ＩＣカードを携帯している遠心機使用者が、非接触式カードリーダ７の通信可能範囲に入ったとき、ＩＣカードに書き込まれている使用者識別コードと遠心機に登録されている使用者識別コードとを照合し、両者が一致すれば遠心機の表示や操作が許可されるとともに、ドアソレノイド１６によるドア１４のロックが解除され、ドア１４を開けてチャンバ１５内から試料を取り出すことができる。
【００３３】
従って、本実施の形態に係る遠心機においては、遠心機の使用が許可された者による試料の遠心分離が終了し、遠心機の運転が停止されると、ドアソレノイド１６によるドア１４のロックが解除され、その使用者だけがドア１４を開けてチャンバ１５から試料を取り出すことができるため、遠心分離すべき試料の種類等の機密情報の漏洩が防がれて遠心機に高いセキュリティ性が確保される。
【００３４】
次に、使用者識別コードを入力する方法を図２（ａ）〜（ｉ）に基づいて説明する。
【００３５】
図２（ａ）に示すように、操作パネル１のキー入力部１２のＭＥＮＵスイッチによりＭＥＮＵ画面を表示部１１に表示して「４．ロックアウトシステム」を選択する。次に、図２（ｂ）に示すロックアウトシステム画面の「２．ユーザリスト」を選択し、図２（ｃ）に示すユーザリスト画面を表示する。
【００３６】
そして、上記ユーザリスト画面の空きＮｏ．を選択し、図２（ｄ）に示すように、その画面から「１．登録」を選択する。次に、図２（ｅ）に示すUser Name の登録画面からUser Name を入力し、図２（ｆ）に示す画面で確定し、更に図２（ｇ）に示すユーザリスト画面にてID code 、図２（ｈ）に示す画面でPasswordを入力すると、図２（ｉ）に示すユーザリスト画面のように入力を完了し、UserName、ID code 、PasswordがＥＥＰＲＯＭ３に記憶される。
【００３７】
次に、使用者の識別手順を図３に示す使用者識別コード認識手順フローチャートに従って説明する。
【００３８】
使用者の識別には、非接触式ＩＣカードと非接触式カードリーダ７が使用されるが、先ず、使用者の識別を行う前準備として非接触式ＩＣカードに遠心機使用者識別コードを書き込む（ステップ３０）。本作業はカードライタを用いて行い、書き込む識別コードはUser Name 、ID code 、Passwordとする。更に、遠心機にも遠心機使用者識別コードを書き込む（ステップ３１）。書き込む内容は非接触式ＩＣカードに書き込む内容と同様とする。
【００３９】
その後、遠心機を日常的に使用する場合は、使用者がＩＣカードを携帯し（ステップ３２）、遠心機には非接触式カードリーダ７を接続しておく（ステップ３３）。非接触式カードリーダ７は常に電波を送信しており、非接触式ＩＣカードが非接触式カードリーダ７からの電波を受信すると（交信距離は通信帯域により数種類が選択できるが、ここでは１ｍ程度）、共振作用による起電力が発生し、ＩＣカード内のＩＣチップが起動してチップ内の情報が信号化され、ＩＣカード内のアンテナから送信される。
【００４０】
ＩＣカードを携帯した使用者がカードリーダ７の通信可能範囲に入ったとき（ステップ３４：Ｙｅｓ）、前記要領で非接触式カードリーダ７がＩＣカード内の使用者識別コードを取り込み、更にパソコン６が非接触式カードリーダ７で取り込んだ使用者識別コードを取り込み、その後、一定周期でパソコン６に取り込んだ使用者識別コードは遠心機に送信され、遠心機に書き込まれている使用者識別コードと照合される（ステップ３５）。
【００４１】
両使用者識別コードが一致した場合は、運転条件及び運転状態の表示部１１への表示が許可され（ステップ３６）、操作も許可され（ステップ３７）、遠心機停止時はドアソレノイド１６を開いてドア１４を開くことも許可される（ステップ３８）。
【００４２】
他方、ＩＣカードを携帯した使用者が非接触式カードリーダ７の通信可能範囲に入っていないとき（ステップ３４：Ｎｏ）や、非接触式カードリーダ７がＩＣカード内の使用者識別コードを取り込み、この使用者識別カードと遠心機に書き込まれている使用者識別コードとの照合を行った結果、両者が不一致の場合（ステップ３５：Ｎｏ）は、運転条件及び運転状態の表示部１１への表示を禁止するとともに（ステップ３９）、操作も禁止し（ステップ４０）、遠心機停止時はドアソレノイド１６を閉じてドア１４の開きを不可能とする（ステップ４１）。そして、遠心機の電源がＯＮされている間、ステップ３４〜ステップ４１までの処理を繰り返し、使用者識別コードが書き込まれている非接触式ＩＣカードを携帯している遠心機使用者が、非接触式カードリーダ７の通信可能範囲内にいるか否かの認識を常に行う。
【００４３】
尚、非接触式カードリーダ７がＩＣカード内の使用者識別コードを取り込み、この取り込んだ使用者識別コードと遠心機に書き込まれている使用者識別コードとの照合を行った結果、両者が一致した場合には、遠心機停止時はドアソレノイド１６を開くが、このとき、自動でドア１４を開く機構を設けても良い。
【００４４】
又、使用者識別コードが書き込まれている非接触式ＩＣカードを携帯している遠心機使用者が、非接触式カードリーダ７の通信可能範囲に入ったとき、非接触式カードリーダ７により非接触式ＩＣカードに書き込まれている使用者識別コードを取り込み、その取り込まれた使用者識別コードと遠心機に登録されている使用者識別コードとを照合した結果、両者が一致した場合には、遠心機の操作を許可してスタートキーによる運転を開始するが、スタートキーを押した使用者のみが、遠心分離が終了した後にドアソレノイド１６を開くことができるような機構を設けても良い。
【００４５】
更に、本実施の形態では、ドア１４のロック手段としてドアソレノイド１６を使用したが、それ以外の任意のロック手段を使用することができる。
【図面の簡単な説明】
【００４６】
【図１】本発明に係る遠心機の基本構成を示すブロック図である。
【図２】遠心機使用者の識別コード入力画面を示す図である。
【図３】使用者識別コード認識手順を示すフローチャートである。
【符号の説明】
【００４７】
１    操作パネル
２    ＣＰＵ（制御手段）
３    ＥＥＰＲＯＭ（記憶部）
４    ＲＡＭ
５    ＲＯＭ
６    パソコン（パーソナルコンピュータ）
７    非接触式カードリーダ
８    ロータ（回転体）
９    駆動装置（駆動手段）
１０  回転検出器
１１  表示部（表示手段）
１２  キー入力部（入力手段）
１３  ドライブシャフト
１４  ドア
１５  チャンバ（回転室）
１６  ドアソレノイド（ロック手段）
１７  バッテリ
【図１】
2007130609.tif 000003
【図２】
2007130609.tif 000004
【図３】
2007130609.tif 000005